(57)【要約】【課題】硬化特性の異なる複数のインクに対して、個々に適切な放射照度をもって硬化させることのできるインクジェット記録装置を提供する。【解決手段】記録媒体Ｗに対しインクジェット方式の記録部を相対的に移動させながら、記録部から光硬化型のインクを吐出させて、記録媒体Ｗ上に所望の画像を形成するインクジェット記録装置１であって、記録媒体Ｗに対し、第１インク９１を吐出する第１記録部３１と、記録媒体Ｗに対し、第１インク９１とは放射照度による光硬化特性が異なる第２インク９２を吐出する第２記録部３２と、記録媒体Ｗに光を照射し、記録媒体Ｗ上の第１インク９１を硬化させる第１半硬化部４１と、記録媒体Ｗに光硬化特性に適した光を照射し、記録媒体Ｗ上の第２インク９２を硬化させる第２半硬化部４２と、を備えた。【選択図】図３
2011084031.tif 000002
【特許請求の範囲】
【請求項１】
記録媒体に対しインクジェット方式の記録部を相対的に移動させながら、前記記録部から光硬化型のインクを吐出させて、前記記録媒体上に所望の画像を形成するインクジェット記録装置であって、
前記記録媒体に対し、第１インクを吐出する第１記録部と、
前記記録媒体に対し、前記第１インクとは放射照度による光硬化特性が異なる第２インクを吐出する第２記録部と、
前記記録媒体に光を照射し、前記記録媒体上の前記第１インクを硬化させる第１硬化部と、
前記記録媒体に前記光硬化特性に適した光を照射し、前記記録媒体上の前記第２インクを硬化させる第２硬化部と、を備えたことを特徴とするインクジェット記録装置。
【請求項２】
前記第２インクは、前記第１インクより高い放射照度で硬化することを特徴とする請求項１に記載のインクジェット記録装置。
【請求項３】
前記第２インクは、黒色のインクであることを特徴とする請求項２に記載のインクジェット記録装置。
【請求項４】
前記第１硬化部は、前記第１インクを半硬化させ、
前記第２硬化部は、前記第２インクを半硬化させることを特徴とする請求項１ないし３のいずれかに記載のインクジェット記録装置。
【請求項５】
前記記録媒体上の前記第１インクおよび前記第２インクを本硬化させる本硬化部を、更に備えたことを特徴とする請求項１ないし４のいずれかに記載のインクジェット記録装置。
【請求項６】
前記第１記録部、前記第２記録部、前記第１硬化部、前記第２硬化部および前記本硬化部が搭載されたキャリッジと、
前記キャリッジを、前記記録媒体に対し主走査方向および副走査方向に相対的に移動させる移動手段と、を更に備え、
前記キャリッジは、
前記第１記録部および前記第２記録部が搭載された記録キャリッジと、
前記第１硬化部、前記第２硬化部および前記本硬化部が搭載された光硬化キャリッジと、を有していることを特徴とする請求項５に記載のインクジェット記録装置。
【請求項７】
前記第１記録部は、複数色の前記第１インクを吐出する複数の第１記録ヘッドが、主走査方向に並んで配設されており、
前記第２記録部は、前記第２インクを吐出する第２記録ヘッドが、前記第１記録部に対し、副走査方向の下流側に配設されていることを特徴とする請求項５または６に記載のインクジェット記録装置。
【請求項８】
前記本硬化部は、前記第２記録部に対し、副走査方向の下流側に配設されていることを特徴とする請求項５ないし７のいずれかに記載のインクジェット記録装置。
【請求項９】
記録媒体に光硬化型インクを吐出する記録部と、
前記記録部により吐出されて前記記録媒体に付着した光硬化型インクに対して光を照射する硬化部と、
所定の搬送方向に搬送される前記記録媒体に対して前記搬送方向と交差する方向に相対的に移動可能なキャリッジと、を有するインクジェット記録装置であって、
第１の光硬化型インクを吐出する第１の記録部と、
第２の光硬化型インクを吐出する第２の記録部と、
前記第１の光を照射し、前記記録媒体上の前記第１の光硬化型インクを半硬化させる第１硬化部と、
前記第１の光とは放射照度の異なる第２の光を照射し、前記記録媒体上の前記第２の光硬化型インクを半硬化させる第２硬化部と、を備え、
前記キャリッジに、前記第１の記録部および前記第１硬化部を備えるとともに、前記第１の記録部の前記搬送方向下流側に前記第２の記録部と前記第２硬化部を配置することを特徴とするインクジェット記録装置。
【発明の詳細な説明】
【技術分野】
【０００１】
本発明は、インクジェット方式の記録ヘッドにより記録媒体に光硬化型のインクを吐出し、記録媒体に着弾したインクに光を照射して硬化させ、記録媒体上に画像を形成するインクジェット記録装置に関する。
【背景技術】
【０００２】
従来、紫外線硬化性インクを記録媒体上に吐出する複数の記録ヘッド（Ｙ，Ｍ，Ｃ，Ｋ）と、記録ヘッドの両側および記録媒体の搬送方向（第２走査方向）下流側に配設され、記録媒体上に着弾したインクを硬化させる紫外線照射装置と、複数の記録ヘッドと紫外線照射装置とを搭載したキャリッジと、を有し、キャリッジを第１走査方向に移動させながら記録媒体に画像を描画するインクジェット記録装置が知られている（特許文献１参照）。このインクジェット記録装置では、記録ヘッドの両側の紫外線照射装置により紫外線を照射した後、キャリッジの第２走査方向下流側に配設した紫外線照射装置により紫外線を照射することで、紫外線照射回数を増やし、記録媒体上に吐出されたインクを確実に硬化させることができるようになっている。
【先行技術文献】
【特許文献】
【０００３】
【特許文献１】特開２００５−３１３４４５号公報
【発明の概要】
【発明が解決しようとする課題】
【０００４】
しかし、上記したインクジェット記録装置では、記録媒体に着弾した各色のインクに対して、同一強度および同一時間の紫外線（光）が照射されているため、インクの色（種類）によっては、十分に硬化しない場合や急激に硬化してしまう場合があった。このため、記録媒体上でのインクの混色や記録媒体上でインクが適度に濡れ広がらず、光沢斑や濃度斑（バンディング）等の問題が生じていた。
【０００５】
本発明は、硬化特性の異なる複数のインクに対して、個々に適切な放射照度をもって硬化させることのできるインクジェット記録装置を提供することを課題とする。
【課題を解決するための手段】
【０００６】
本発明のインクジェット記録装置は、記録媒体に対しインクジェット方式の記録部を相対的に移動させながら、記録部から光硬化型のインクを吐出させて、記録媒体上に所望の画像を形成するインクジェット記録装置であって、記録媒体に対し、第１インクを吐出する第１記録部と、記録媒体に対し、第１インクとは放射照度による光硬化特性が異なる第２インクを吐出する第２記録部と、記録媒体に光照射し、記録媒体上の第１インクを硬化させる第１硬化部と、記録媒体に光硬化特性に適した光照射し、記録媒体上の第２インクを硬化させる第２硬化部と、を備えたことを特徴とする。
【０００７】
この場合、第２インクは、第１インクより高い放射照度で硬化することが好ましい。
【０００８】
また、この場合、第２インクは、黒色のインクであることが好ましい。
【０００９】
特に黒色のインクは、その着色成分（カーボン）が光を吸収してしまうため、他の有色（または無色）インクと同一の照度（放射照度［Ｗ／ｍ＾２］）で光硬化させると十分に硬化せず、逆に、黒色のインクに最適な照度で他の有色インク等を光硬化させると硬化が進みすぎてしまう。
このような場合でも、これらの構成によれば、第１インクとは別に、光硬化に必要な放射照度が異なる第２インクのみを光硬化させることができるため、第２インクに最適な放射照度で、第２インクを光硬化させることができる。これにより、第２インクが硬化しなかったり、または硬化し過ぎたりする等の問題を防止することができる。
【００１０】
この場合、第１硬化部は、第１インクを半硬化させ、第２硬化部は、第２インクを半硬化させることが好ましい。
【００１１】
この構成によれば、第１インクと第２インクとを半硬化させることで、記録媒体上に着弾したインク滴の濡れ広がり等を制御し、各インク滴の大きさを均一にすることができる。これにより、各インク滴が混じり合うこと（混色）を防止することができる。また、記録媒体上に形成される画像の表面を平坦化することができるため、良好な光沢を有する画像を形成することができる。
【００１２】
この場合、記録媒体上の第１インクおよび第２インクを本硬化させる本硬化部を、更に備えたことが好ましい。
【００１３】
この構成によれば、画像の形成（描画）が全て終了した後に、各インクを完全に硬化（本硬化）させ、記録媒体上に各インク（画像）を確実に定着させることができる。なお、記録媒体上の各インクに対し、既に半硬化が行われている場合には、本硬化にかかる時間を短くすることができるため、本硬化部を小型なもので構成することができる。これにより、装置全体を小型且つ軽量に構成することができる。
【００１４】
この場合、第１記録部、第２記録部、第１硬化部、第２硬化部および本硬化部が搭載されたキャリッジと、キャリッジを、記録媒体に対し主走査方向および副走査方向に相対的に移動させる移動手段と、を更に備え、キャリッジは、第１記録部および第２記録部が搭載された記録キャリッジと、第１硬化部、第２硬化部および本硬化部が搭載された光硬化キャリッジと、を有していることが好ましい。
【００１５】
この構成によれば、各記録部と各硬化部とを同時に移動させることができるため、画像形成に係る動作と半硬化（および本硬化）に係る動作とを、同一の移動時に連続的に実施することができる。これにより、記録媒体に対する画像形成を効率良く行うことができる。また、キャリッジの移動により、各記録部と各硬化部とを、記録媒体上の画像形成領域全体に臨ませることができるため、各記録部と各硬化部とは小型なもので足り、装置全体を小型にすることができる。更に、記録キャリッジと光硬化キャリッジとに分かれていることで、光硬化キャリッジ側で発生する熱が、記録キャリッジ側に伝わることを防止することができる。したがって、熱の影響によって、各インクの吐出量の変化や記録キャリッジの歪み等が生じることを防止することができる。これにより、記録媒体上において各インクの着弾位置がずれる等の問題を防止でき、高精度な画像の形成を行うことができる。
【００１６】
この場合、第１記録部は、複数色の第１インクを吐出する複数の第１記録ヘッドが、主走査方向に並んで配設されており、第２記録部は、第２インクを吐出する第２記録ヘッドが、第１記録部に対し、副走査方向の下流側に配設されていることが好ましい。
【００１７】
この構成によれば、第１記録部を主走査方向に移動しながら第１インクを吐出し、記録媒体上に着弾した範囲が、副走査方向の下流側に相対的に移動し、第２記録部を主走査方向に移動しながら第２インクが吐出される。これにより、第１インクの吐出と第２インクの吐出とを、同一の主走査で並行して、且つ連続的に行うことができ、画像を効率良く形成することができる。
【００１８】
この場合、本硬化部は、第２記録部に対し、副走査方向の下流側に配設されていることが好ましい。
【００１９】
この構成によれば、記録媒体に対し、第１インクおよび第２インクが着弾した後に、各インクの着弾した範囲が、副走査方向の下流側に相対的に移動し、本硬化部が主走査方向に移動しながら光を照射して本硬化が行われる。これにより、各インクの吐出と本硬化とを同一の主走査で並行して、且つ連続的に行うことができ、画像を効率良く記録媒体上に定着させることができる。
【００２０】
本発明のインクジェット記録装置は、記録媒体に光硬化型インクを吐出する記録部と、記録部により吐出されて記録媒体に付着した光硬化型インクに対して光を照射する硬化部と、所定の搬送方向に搬送される記録媒体に対して搬送方向と交差する方向に相対的に移動可能なキャリッジと、を有するインクジェット記録装置であって、第１の光硬化型インクを吐出する第１の記録部と、第２の光硬化型インクを吐出する第２の記録部と、第１の光を照射し、記録媒体上の第１の光硬化型インクを半硬化させる第１硬化部と、第１の光とは放射照度の異なる第２の光を照射し、記録媒体上の第２の光硬化型インクを半硬化させる第２硬化部と、を備え、キャリッジに、第１の記録部および第１硬化部を備えるとともに、第１の記録部の搬送方向下流側に第２の記録部と第２硬化部を配置することを特徴とする。
【００２１】
この構成によれば、例えば、キャリッジを往復移動させる構成の場合、往動時に第１の光硬化型インクを吐出した直後に第１硬化部から光を照射して半硬化を行い、復動時に第２の光硬化型インクを吐出した直後に第２硬化部から光を照射して半硬化を行うことができる。これにより、第１の光硬化型インクとは別に、第２の光硬化型インクを最適な放射照度で半硬化させることができる。
他にも、往動時に第１および第２の光硬化型インクの吐出のみを行い、復動時に半硬化を行うこともできる。これにより、各光硬化型インクの半硬化までの時間を制御することができ、画像の表面粗さを任意に設定することができる。なお、記録媒体上に着弾直後に半硬化を行うと表面は粗くなる。
【図面の簡単な説明】
【００２２】
【図１】本実施形態（第１実施形態）に係るインクジェット記録装置の内部を模式的に示した平面図（ａ）および側面図（ｂ）である。
【図２】キャリッジ装置の平面図（ａ）および側面図（ｂ）である。
【図３】キャリッジ装置のヘッドユニットおよび光硬化ユニットを模式的に示した平面図である。
【図４】記録ヘッドを模式的に示した表裏斜視図である。
【図５】記録キャリッジおよびキャリッジベースの正面図（ａ）および側面図（ｂ）である。
【図６】キャリッジ装置の平面図（ａ）、側面図（ｂ）および光ギャップ調整手段の部分拡大図（ｃ）である。
【図７】本実施形態に係る画像形成方法のフローチャートである。
【図８】本実施形態に係る画像形成方法において第１画像および第２画像が形成される様子を模式的に示した説明図（側面図）である。
【図９】本実施形態に係る画像形成方法において第１画像および第２画像が形成される様子を模式的に示した説明図（平面図）である。
【図１０】第２実施形態（ａ）および第４実施形態（ｂ）に係る画像形成方法おいて第１画像および第２画像が形成される様子を模式的に示した説明図（側面図）である。
【発明を実施するための形態】
【００２３】
以下、添付の図面を参照して、本発明の実施形態に係るインクジェット記録装置について説明する。このインクジェット記録装置は、記録媒体に対し、記録ヘッドから紫外線硬化型インクを吐出した後、紫外線照射器から紫外線を照射して、記録媒体上に着弾した紫外線硬化型インクを硬化させ、記録媒体上に画像を形成（描画）するものである。
【００２４】
（第１実施形態）
図１に示すように、インクジェット記録装置１は、インクジェット方式の複数の記録ヘッド３０を有するヘッドユニット２１および光硬化ユニット２２を、それぞれ搭載したキャリッジ装置２と、キャリッジ装置２および記録媒体Ｗを相対的に移動させる移動手段３と、描画前の記録媒体Ｗがセットされる媒体供給手段４と、複数の記録ヘッド３０に複数の色の紫外線硬化型インク（以降、「インク」という。）を供給するインク供給手段５と、インクジェット記録装置１による画像の形成処理を制御する制御手段６と、を装置外装（図示省略）内に備えている。
また、図示は省略するが、キャリッジ装置２のホームポジションＨ側（図１（ａ）において下側）には、各記録ヘッド３０のノズル詰り等を防止するための保守手段が配設されている。この保守手段には、各記録ヘッド３０のノズル形成面を封止するキャッピングユニットと、各記録ヘッド３０からインクを強制吸引する吸引ユニットと、各記録ヘッド３０のノズル孔３６の形成面を払拭するワイピングユニットと、が備えられている。
【００２５】
図１に示すように、移動手段３は、キャリッジ装置２を主走査方向（以降、「Ｘ軸方向」という。）に移動させるヘッド移動機構１１と、記録媒体Ｗを副走査方向（以降、「Ｙ軸方向」という。）に移動させ、記録媒体Ｗをキャリッジ装置２に臨む位置（描画エリアＤＡ）に送る媒体送り機構１２と、を備えている。
【００２６】
ヘッド移動機構１１は、キャリッジ装置２をＸ軸方向に移動自在に支持する第１ガイド軸１３および第２ガイド軸１４と、キャリッジ装置２を移動させる駆動源となるサーボモーター１５と、サーボモーター１５の回転動力をキャリッジ装置２に伝達し、キャリッジ装置２をＸ軸方向に往復動させるベルト伝達機構１６と、を備えている。
【００２７】
ベルト伝達機構１６は、サーボモーター１５に連結されＸ軸方向の一方の端部に配設した駆動プーリー１６ａと、Ｘ軸方向の他方の端部に配設した従動プーリー１６ｂと、駆動プーリー１６ａおよび従動プーリー１６ｂ間に掛け渡した無端のタイミングベルト１６ｃと、を有している。タイミングベルト１６ｃの一箇所には、後述するベルト固定部６２を介してキャリッジ装置２の基部が連結されており、サーボモーター１５が正逆回転すると、タイミングベルト１６ｃを介してキャリッジ装置２がＸ軸方向に往復動する。
【００２８】
第１ガイド軸１３は、上部を断面が半円形に形成した軸であり、描画エリアＤＡのＹ軸方向の上流側において、描画エリアＤＡに供給される記録媒体Ｗを幅方向（Ｘ軸方向）に横断するように配設されている。図示では省略したが、第１ガイド軸１３は、その延在方向において複数の支持部材により、装置フレーム（図示省略）上に支持され、上下方向の撓みが防止されている。同様に、第２ガイド軸１４は、断面が略矩形の軸であり、描画エリアＤＡのＹ軸方向の、下流側において第１ガイド軸１３に平行に配設されている。第１ガイド軸１３および第２ガイド軸１４の長さは、供給可能な記録媒体Ｗの最大幅に合わせて設定されている。そして、キャリッジ装置２は、その基部側を第１ガイド軸１３に、先端側を第２ガイド軸１４に支持され、且つこれら第１ガイド軸１３および第２ガイド軸１４に案内されて、Ｘ軸方向に往復動する。
【００２９】
サーボモーター１５は、キャリッジ装置２のＸ軸方向における位置制御が可能なものであり、キャリッジ装置２のホームポジションＨとは反対側（図１（ａ）において上側）で、駆動軸をＹ軸方向の上流側に向けて配設されている。サーボモーター１５の正逆回転駆動により、キャリッジ装置２は、タイミングベルト１６ｃを介して、第１ガイド軸１３および第２ガイド軸１４に沿って往復移動する。そして、サーボモーター１５は、記録媒体Ｗ上（描画エリアＤＡ）をＸ軸方向に移動するキャリッジ装置２が定速となるように制御する。
【００３０】
媒体送り機構１２は、記録媒体Ｗを裏面（非記録面）側から支持するプラテン１７と、記録媒体Ｗを裏面に接触し、記録媒体ＷをＹ軸方向に送る送りローラー１８と、記録媒体Ｗを介して送りローラー１８に対峙する媒体押えローラー１９（図１（ｂ）参照）と、送りローラー１８を回転させ記録媒体Ｗを間欠的に送る送りモーター（図示省略）と、を備えている。なお、記録媒体Ｗは、記録ヘッド３０のノズル列ＮＬ（図４（ｂ）参照）の長さ分の寸法を１ピッチとして間欠送りされる。
【００３１】
プラテン１７の表面には、マトリクス状（または千鳥状）に複数の小孔（図示省略）が裏面に向かって貫通形成されており、プラテン１７の下側には、吸引ファン（図示省略）が設けられている。この吸引ファンを回転駆動することで、プラテン１７上の記録媒体Ｗには、複数の小孔を介して吸引力が作用し、記録媒体Ｗは、プラテン１７上に均一な平面度をもって位置決め固定される。これにより、歪みのない記録媒体Ｗに対し、描画処理を行えるため、インクの着弾位置にずれのない高精度な画像形成が可能となる。
【００３２】
送りローラー１８および媒体押えローラー１９は、第１ガイド軸１３の下方、すなわち、描画エリアＤＡのＹ軸方向の上流側に位置している。媒体押えローラー１９は、送りローラー１８の回転による記録媒体Ｗの搬送に伴い回転する従動ローラーであり、送りローラー１８上の記録媒体Ｗを上方から押さえ込んでいる。すなわち、送りローラー１８および媒体押えローラー１９は、それぞれ駆動ローラーと従動ローラーから成るニップローラーで構成され、キャリッジ装置２の移動停止時に記録媒体Ｗを送る。なお、プラテン１７の下流側に、スリップ回転しながら記録媒体Ｗを送る排紙ローラーを設けるようにしてもよい。
【００３３】
媒体供給手段４は、描画に供される記録媒体Ｗがセットされ、記録媒体Ｗの供給源となっている。本実施形態に用いられる記録媒体Ｗの形態としては、ロール状やカットシート状等、どのような形態でもよく、特に図示しないが、前者の記録媒体Ｗに対してはリール・ツー・リールで紙送りが行われ、後者の記録媒体Ｗに対しては給紙ローラーにより、用紙カセットから１枚ずつ紙送りが行われる。なお、記録媒体Ｗは、紙（普通紙，光沢紙等）、布（不織布）、樹脂、金属、ガラス等の材質からなるものが適用可能である。
【００３４】
インク供給手段５は、有色または無色のインクが、それぞれ封入された複数のインクパック５ａから構成され、各インクパック５ａは、インク供給流路（図示省略）を介して各記録ヘッド３０に接続されている。各色のインクは、各インクパック５ａを外側から加圧（大気圧）することで、各インク供給流路を通じて各記録ヘッド３０に供給される。また、各インク供給流路および各記録ヘッド３０は、各インク供給流路を流れるインクを加熱するフィルムヒーター（図示省略）で被覆されている。各色のインクは、フィルムヒーターによって加熱されることで、所定の粘度に調整されて各記録ヘッド３０に供給される。
【００３５】
なお、紫外線硬化型インクは、重合性化合物として、ラジカル重合性化合物を含むラジカル重合系インクとカチオン重合性化合物を含むカチオン重合系インクとに大別されるが、本実施形態では、いずれを用いてもよい。また、本実施形態に用いられる紫外線硬化型インクは、シアン（Ｃ）、マゼンタ（Ｍ）、イエロー（Ｙ）、ブラック（Ｋ）、オレンジ（Ｏｒ）、グリーン（Ｇｒ）、ライトマゼンタ（ＬＭ）、ライトシアン（ＬＣ）、ホワイト（Ｗ）、クリアー（ＣＬ）の１０色であるが、色（色彩）および色数は、これに限定されるものではない。
【００３６】
続いて、図２ないし図６を参照して、キャリッジ装置２について詳細に説明する。図２に示すように、キャリッジ装置２は、記録媒体Ｗに対してインクを吐出するヘッドユニット２１と、記録媒体Ｗ上に着弾したインクを硬化させる光硬化ユニット２２と、第１ガイド軸１３にスライド自在に支持されたキャリッジベース２３と、第２ガイド軸１４とキャリッジベース２３と架け渡され、第２ガイド軸１４にスライド自在に支持された支持フレーム２４と、光硬化ユニット２２を支持フレーム２４に吊設するための複数の支柱部材２５と、を備えている。このキャリッジ装置２は、プラテン１７上に固定された記録媒体Ｗ上に臨み、ヘッド移動機構１１によってＸ軸方向に往復移動しながら、記録媒体Ｗ上にヘッドユニット２１からのインクの吐出し、光硬化ユニット２２により、記録媒体Ｗ上に着弾したインクの硬化を行う。
【００３７】
また、キャリッジ装置２は、ヘッドユニット２１と記録媒体Ｗとの間のギャップを調整するヘッドギャップ調整手段２６と（図５参照）、ヘッドユニット２１のロール角（記録媒体Ｗとの平行度）を調整する平行度調整手段２７と（図５参照）、光硬化ユニット２２と記録媒体Ｗとの間のギャップを調整する光ギャップ調整手段２８と（図６参照）、を備えている。
【００３８】
図２および図３に示すように、ヘッドユニット２１は、記録媒体Ｗに対して有色および無色のインクを吐出する複数の記録ヘッド３０を有する第１記録部３１と、記録媒体Ｗに対して任意のインクを吐出する１つの記録ヘッド３０（第２記録ヘッド３２ａ）を有する第２記録部３２と、第１記録部３１および第２記録部３２をＹ軸方向に組分けして搭載する記録キャリッジ３３と、を備えている。
【００３９】
図４に示すように、記録ヘッド３０は、いわゆるインクジェット方式でインクを吐出するものであり、上記したインク供給流路が接続され、インクが供給されるポンプ部３４と、ポンプ部３４に連なるノズルプレート３５と、を備えている。ノズルプレート３５のノズル面には、２列のノズル列ＮＬが相互に平行に列設されており、各ノズル列ＮＬは、等ピッチで並べた多数個のノズル孔３６で構成されている。なお、ノズル列ＮＬの数およびノズル孔３６の数は、任意である。また、ポンプ部３４は、各列のノズル列ＮＬに対応するように、それぞれ２連に形成されている。記録ヘッド３０には、フレキシブルフラットケーブル（図示省略）を介して、上記した制御手段６が接続されており、制御手段６から出力された駆動波形がポンプ部３４の圧電素子（図示省略）に印加されることで、各ノズル孔３６からインクが吐出される。
【００４０】
図２および図３に示すように、第１記録部３１は、ノズル列ＮＬをＹ軸方向に向けて、Ｘ軸方向に９個の記録ヘッド３０（以降、第１記録ヘッド３１ａという。）が等間隔で１列に並んだ状態で第１ヘッドプレート３７ａに固定されて構成されている。第１記録部３１に搭載された９個の第１記録ヘッド３１ａは、有色および無色のインクを吐出するものであり、本実施形態では、図３において上端から、Ｃ，Ｍ，Ｙ，Ｏｒ，Ｇｒ，ＬＭ，ＬＣ，Ｗ，ＣＬのインクが導入（供給）されている。なお、第１記録ヘッド３１ａの個数は任意であり、また、供給するインクの色の順番も任意である。
【００４１】
一方、第２記録部３２は、ノズル列ＮＬをＹ軸方向に向けて、単一の記録ヘッド３０（以降、第２記録ヘッド３２ａという。）が、第２ヘッドプレート３８ａに固定されて構成されている。第２記録ヘッド３２ａには、黒色（Ｋ）のインクが供給されている。なお、第２記録ヘッド３２ａの個数は任意である。しかし、詳細は後述するが、記録キャリッジ３３の片持ち支持やミスト発生の抑制等を考慮すると、第１記録部３１への搭載数よりも少数であることが好ましく、１個または２個が最適である。
【００４２】
記録キャリッジ３３は、Ｘ軸方向に長辺を有する方形に形成された第１ヘッド保持部３７と、第１ヘッド保持部３７より小さい方形に形成された第２ヘッド保持部３８と、第１ヘッド保持部３７のＸ軸方向両端に立設した一対の立設部３９（図５参照）と、で一体に形成されている。第２ヘッド保持部３８は、第１ヘッド保持部３７のＹ軸方向下流側に向かってＸ軸方向中央から突き出すように形成されている。すなわち、平面内において、記録キャリッジ３３は階段状に形成されている。
【００４３】
第１ヘッド保持部３７には、複数の第１記録ヘッド３１ａを位置決め固定した第１ヘッドプレート３７ａが臨む第１ヘッド開口３７ｂが、厚み方向（Ｚ軸方向）に貫通形成されている。同様に、第２ヘッド保持部３８は、第２記録ヘッド３２ａを位置決め固定した第２ヘッドプレート３８ａが臨む第２ヘッド開口３８ｂが、厚み方向に貫通形成されている。また、第１ヘッド開口３７ｂおよび第２ヘッド開口３８ｂの近傍には、各１本の位置決めピンＰが立設している。各位置決めピンＰが、第１ヘッドプレート３７ａおよび第２ヘッドプレート３８ａの位置決め孔（図示省略）に嵌入することで、第１ヘッドプレート３７ａは、第１ヘッド保持部３７に対し、一方、第２ヘッドプレート３８ａは、第２ヘッド保持部３８に対し、Ｘ軸方向、Ｙ軸方向およびヨーイング方向に、それぞれ位置決めされた状態で固定される（３本のねじ留め）。このように、第１記録部３１と第２記録部３２とは、組分けされて記録キャリッジ３３に搭載され、各記録ヘッド３０のノズルプレート３５（のノズル面）は、プラテン１７上に搬送された記録媒体Ｗに対峙する。
【００４４】
記録キャリッジ３３は、第１ヘッド保持部３７のＹ軸方向上流側でキャリッジベース２３に片持ちで支持されており、第２ヘッド保持部３８のＹ軸方向下流側は自由端となっている。すなわち、第１ガイド軸１３から離れる方向において、記録ヘッド３０の搭載数が少ない順に配設されている。このように、ヘッドユニット２１を片持ち支持とすることで、記録媒体Ｗに対するヘッドユニット２１のギャップ調整や平行度調整といった、ヘッドユニット２１特有の調整を精度良く容易に行うことができる。しかも、ヘッドユニット２１は、記録ヘッド３０の搭載数の多い記録部が第１ガイド軸１３側に設けられているため、慣性の影響の少ない安定した移動が可能となり、移動の開始および停止の際の慣性による振動を防止することができる。これにより、記録キャリッジ３３のブレやオーバーランを抑制することができ、記録媒体Ｗ上へのインクの着弾位置にズレが生じることがないため、高精度な画像の形成（描画）が可能となる。
【００４５】
図２および図３に示すように、光硬化ユニット２２は、第１記録部３１が吐出したインクを半硬化させる第１半硬化部４１（第１硬化部）と、第２記録部３２が吐出したインクを半硬化させる第２半硬化部４２（第２硬化部）と、第１記録部３１および第２記録部３２が吐出したインクを本硬化させる本硬化手段４３（本硬化部）と、第１半硬化部４１、第２半硬化部４２および本硬化手段４３を搭載する光硬化キャリッジ４４と、を備えている。
【００４６】
第１半硬化部４１は、第１記録部３１のＸ軸方向両端に位置した一対の第１半硬化手段４５を有しており、Ｘ軸方向への往復移動に伴って、第１記録部３１から吐出され、記録媒体Ｗ上に着弾した各インク滴に臨むようになっている。同様に、第２半硬化部４２は、第２記録部３２のＸ軸方向両端に位置した一対の第２半硬化手段４６を有しており、第２記録部３２により記録媒体Ｗ上に着弾した各インク滴に臨む。第１半硬化部４１および第２半硬化部４２は、記録媒体Ｗ上に着弾したインク滴を半硬化させることで、記録媒体Ｗ上において、インク滴の濡れ広がりの抑制や記録媒体Ｗの搬送時にインク滴が流れ出すことを防止している。これにより、記録媒体Ｗ上において、インク滴同士が混じり合うこと（混色）を防止することができると共に、各インク滴を一定の大きさに揃えることができる。なお、ここでいう半硬化とは、インク滴における部分的な硬化を意味し、部分的に硬化しているが完全に硬化していない状態をいう。
【００４７】
ここで、第２記録部３２の第２記録ヘッド３２ａに供給される黒色（Ｋ）のインクは、その着色成分（カーボン）が光（紫外線）を吸収してしまうため、他の有色インクと同一の照度（放射照度［Ｗ／ｍ＾２］）で光硬化させると十分に硬化させることができない。逆に、黒色のインクに最適な照度で他の有色インクを光硬化させると硬化が進みすぎてしまう。
そこで、本実施形態では、黒色のインクを吐出する第２記録ヘッド３２ａを、第１ヘッド保持部３７には搭載せず、Ｙ軸方向下流側の第２ヘッド保持部３８に搭載し、且つ黒色のインク専用の第２半硬化部４２を設けている。また、各第２半硬化手段４６（第２半硬化部４２）は、電流制御により、各第１半硬化手段４５（第１半硬化部４１）よりも高い放射照度の紫外線を照射するようになっている。これにより、黒色以外のインクとは別個独立に、黒色のインクのみを適切に半硬化させることを可能としている。
【００４８】
本硬化手段４３は、第２記録部３２のＹ軸方向下流に位置しており、Ｘ軸方向への往復移動に伴って、第１半硬化部４１および第２半硬化部４２によって半硬化した各インク滴に臨む。本硬化手段４３は、着弾したインク滴の内部を完全に光硬化させ、記録媒体Ｗ上に定着させる。したがって、本硬化手段４３の放射照度（照度）は、第１半硬化部４１および第２半硬化部４２よりも高く（強く）設定されている。本硬化手段４３は、キャリッジ装置２の最も下流側に設けられており、第１記録部３１および第２記録部３２によって画像の描画が行われた後に、その画像を形成するインク滴を本硬化させる。また、記録媒体Ｗ上のインク滴は、既に半硬化されているため、本硬化手段４３を比較的低出力な小型且つ軽量なもので構成することができる。
【００４９】
各第１半硬化手段４５、各第２半硬化手段４６および本硬化手段４３は、略同一の構造であり、紫外線を照射する複数のＬＥＤ（Light Emitting Diode）で構成された光照射部５１と、光照射部５１を冷却するための冷却部５２と、をそれぞれ有している。光照射部５１は、複数のチップ型の紫外線ＬＥＤがマトリクス状（または千鳥状）に配設したいわゆるＬＥＤアレイであり、全体として面光源を構成している。また、各第１半硬化手段４５、各第２半硬化手段４６および本硬化手段４３は、記録ヘッド３０のノズル列ＮＬの長さと略同長さの幅（Ｙ軸方向の長さ）を有し、そのＸ軸方向の長さは、Ｘ軸方向の移動速度との関係で、所定の放射照度が得られるように設計されている。
【００５０】
冷却部５２は、光照射部５１の上面に密着するヒートシンク５３と、ヒートシンク５３に向けて風（空気）を吹き付ける冷却ファン５４と、を備えている。ヒートシンク５３は、いわゆるフィン型のものであり、立設した複数のフィン５３ａは、それぞれＸ軸方向に向かって延在し、Ｙ軸方向に等間隔に配設されている。このヒートシンク５３は、カバー５３ｂで覆われており、カバー５３ｂの上面に形成した開口部分には冷却ファン５４が固定されている。冷却ファン５４は、それぞれヘッドユニット２１側に位置しており、各冷却ファン５４により、吹き付けられた空気は、ヒートシンク５３のフィン５３ａから吸熱しながらフィン５３ａに沿って外側に排気（排熱）される。これにより、各光照射部５１から生じた熱が、有効に排熱されるため、熱による光照射部５１の発光性能が低下することを防止し、インクを安定に光硬化させることができる。なお、詳細は後述するが、冷却ファン５４からの排気（排熱）は、光硬化キャリッジ４４の記録キャリッジ３３側に立設されたリブ５８により遮断される。
【００５１】
光硬化キャリッジ４４は、記録キャリッジ３３のＸ軸方向両側に対称に位置する一対のキャリッジ側部５５と、一対のキャリッジ側部５５を連結するキャリッジ連結部５６と、を備えている。光硬化キャリッジ４４は、適宜補強リブ部を配置した樹脂で一体に形成されているため、十分な強度を維持しつつ軽量に、且つ安価に構成することができ、更に、光硬化キャリッジ４４内での熱の伝播を抑制することもできる。
【００５２】
各キャリッジ側部５５は、第１半硬化手段４５と第２半硬化手段４６とを保持する２つの保持部５７を有している。２つの保持部５７は、それぞれ方形に形成されており、コーナー部分５９で連結されている。すなわち、キャリッジ側部５５は、階段状に形成されている。そして、一対のキャリッジ側部５５は、平面内において、Ｘ軸方向両側から記録キャリッジ３３を挟むようにして対称に位置しており、Ｙ軸方向下流側でキャリッジ連結部５６により連結されている。また、キャリッジ連結部５６も方形に形成されており、本硬化手段４３を保持している。したがって、記録キャリッジ３３に搭載された第１記録部３１および第２記録部３２と、光硬化キャリッジ４４に搭載された本硬化手段４３とは、Ｙ軸方向に向かって、Ｘ軸方向中央に整列している。つまり、Ｙ軸方向上流側から順に、第１記録部３１、第２記録部３２および本硬化手段４３が、同一中心線上に整列している。このため、Ｘ軸方向の重量バランスの良いキャリッジ装置２を構成することができると共に、記録媒体Ｗの幅に対して最短距離でＸ軸方向に往復移動させることができる。これにより、キャリッジ装置２のＸ軸方向へ安定した移動が可能となると共に、キャリッジ装置２の大型化を抑制することができる。
【００５３】
また、記録ヘッド３０からインクを吐出した際に発生するミスト（霧状のインク）は、より多くの記録ヘッド３０（第１記録ヘッド３１ａ）が搭載された第１記録部３１から多く発生する。しかし、本実施形態において本硬化手段４３は、第２記録部３２挟んで第１記録部３１から離れた位置に設けられている。すなわち、本硬化手段４３は、多くのミストが生じる発生源から離れた位置に、しかもＹ軸方向に離れた位置に設けられている。したがって、本硬化手段４３にミストが付着するリスクを減らすことができる。これにより、本硬化手段４３の発光性能（放射照度）の低下を適切に防止して、記録媒体Ｗ上のインクを確実に本硬化させることができ、インク未硬化による描画不良を有効に防止することができる。なお、第２記録部３２は、ミストの発生源が少ないため（単一の第２記録ヘッド３２ａ）、そのＹ軸方向下流側に位置する本硬化手段４３にミストが付着する可能性は低くなる。
【００５４】
また、各保持部５７において、記録キャリッジ３３に対峙する辺（面）には、保持部５７に直交して立設するリブ５８が立設されている（図３参照）。このリブ５８は、光硬化キャリッジ４４の構造上の強度を増加させると共に、各保持部５７に搭載された第１半硬化手段４５または第２半硬化手段４６の冷却部５２による排熱を遮断する壁として機能する。これにより、各記録ヘッド３０（各第１記録ヘッド３１ａおよび第２記録ヘッド３２ａ）、各第１半硬化手段４５および各第２半硬化手段４６の熱による性能低下を有効に防止することができる。
【００５５】
光硬化キャリッジ４４は、記録キャリッジ３３の外側に所定の間隙を存して配設されており、光硬化キャリッジ４４と記録キャリッジ３３とが相互に対峙する辺（面）は、相補的に形成されている。つまり、光硬化キャリッジ４４は、Ｙ軸方向下流側から記録キャリッジ３３を覆うようにして、「Ｖ」字型の階段状に形成されており、巨視的に見れば、記録キャリッジ３３と光硬化キャリッジ４４とは、一辺をキャリッジベース２３（または第１ガイド軸１３）に添うように配設された三角形状に構成されている（図１および図２参照）。このように、記録キャリッジ３３と光硬化キャリッジ４４とは、接触することなく物理的に離間して配設されているため、光硬化キャリッジ４４に搭載された第１半硬化部４１、第２半硬化部４２および本硬化手段４３から発生した熱が、記録キャリッジ３３（および各記録ヘッド３０）に伝播することがない。したがって、熱の影響によって、各インクの吐出量の変化や記録キャリッジ３３の歪み等が生じることを防止することができる。これにより、記録媒体Ｗ上において各インクの着弾位置がずれる等の問題を防止でき、高精度なインクの吐出を行うことができる。
【００５６】
また、光硬化キャリッジ４４（キャリッジ側部５５）は、保持部５７と保持部５７とが、コーナー部分５９で連結しているため、保持部５７相互間の伝熱面積が非常に小さくなっており、保持部５７相互間の熱の伝播も抑制することができる。これにより、第１半硬化部４１、第２半硬化部４２および本硬化手段４３の相互間の熱的影響を排除することができるため、各光硬化手段の発光性能が低下することがない。したがって、インクの硬化が良好に行われ、画像の描画品質を良好に維持することができる。
【００５７】
図２および図５に示すように、キャリッジベース２３は、樹脂製の部材であり、第１ガイド軸１３にスライド自在に係合する軸係合部６１と、タイミングベルト１６ｃが挟み込まれて固定されるベルト固定部６２と、ヘッドユニット２１を片持ち支持する片持ち支持機構６３と、を備えている。
【００５８】
軸係合部６１は、第１ガイド軸１３（半円形軸）と相補的な形状に略円形に凹設され、第１ガイド軸１３に対して上方から被さるようにしてスライド自在に係合する（図２（ｂ）参照）。また、ベルト固定部６２は、キャリッジベース２３のＸ軸方向中央において、Ｙ軸方向上流側に突設されており、タイミングベルト１６ｃを挟持している（図１（ａ）参照）。そして、キャリッジ装置２は、サーボモーター１５の駆動により、タイミングベルト１６ｃに引っ張られるようにしてＸ軸方向に往復移動する。
【００５９】
また、図５に示すように、片持ち支持機構６３は、Ｙ軸方向下流側において、ヘッドユニット２１を片持ちで支持している。片持ち支持機構６３は、ヘッドユニット２１を上方に引き上げる一対の引上げばね６４と、ヘッドユニット２１をキャリッジベース２３側に引き付ける一対の第１引付ばね６５および一対の第２引付ばね６６と、を有している。
【００６０】
一対の引上げばね６４は、一端を第１ヘッド保持部３７のＸ軸方向両端に設けられたフックにそれぞれ係合し、他端をキャリッジベース２３のＸ軸方向両端に突設された凸部にそれぞれ係合している。また、一対の第１引付ばね６５は、一端を立設部３９のＸ軸方向両端の上端部に設けられたフックにそれぞれ係合し、他端をキャリッジベース２３のＸ軸方向両側面上側に設けられたフックにそれぞれ係合している。同様に、一対の第２引付ばね６６は、一端を立設部３９のＸ軸方向両端の下端部に設けられたフックにそれぞれ係合し、他端をキャリッジベース２３のＸ軸方向両側面下側に設けられたフックにそれぞれ係合している。
【００６１】
そして、ヘッドユニット２１は、一対の引上げばね６４によって引き上げられると共に、ヘッドギャップ調整手段２６（詳細は後述する。）によって押え付けられて（押し下げられて）いる。また、ヘッドユニット２１は、一対の第１引付ばね６５および一対の第２引付ばね６６によって、Ｙ軸方向上流側に引き付けられていると共に、平行度調整手段２７（詳細は後述する。）によって押し付けられている。これにより、ヘッドユニット２１は、キャリッジベース２３に片持ち状態で支持されている。なお、ヘッドユニット２１（記録キャリッジ３３）のＸ軸方向の位置調整を行うＸ軸引付ばね６７が、図５（ａ）において左側の引上げばね６４の下側に設けられている。
【００６２】
図２に示すように、支持フレーム２４は、キャリッジベース２３の上端面に一方の端部を接続し、Ｙ軸方向の下流側に延在する一対の梁部材７１と、各梁部材７１の上面に直交して接続固定された桁部材７２と、一対の梁部材７１の他方の端部に吊設された壁部材７３と、を備えている。また、各梁部材７１と壁部材７３との上面には、一対の筋交い７４が接続されており、支持フレーム２４の構造体としての強度を増加させている。壁部材７３のＹ軸方向下流側の面には、第２ガイド軸１４上に転接する複数（５個）のローラー７５が、Ｘ軸方向に等間隔に並んで、回転自在に片持ちで支持されている。なお、梁部材７１、桁部材７２および筋交い７４は、アルミニウム合金製のチャンネル材で構成され、壁部材７３は、樹脂で構成されている。また、梁部材７１、桁部材７２および筋交い７４の配設数は任意である。
【００６３】
複数（４本）の支柱部材２５は、桁部材７２の両端と、各梁部材７１のＹ軸方向中央からやや下流側とに、それぞれ一端を接続し、下方に延在した他端を光硬化キャリッジ４４に連結している。すなわち、４本の支柱部材２５により、光硬化キャリッジ４４は、支持フレーム２４に対して吊設されている。４本の支柱部材２５は、各第１半硬化手段４５と各第２半硬化手段４６との近傍において、それぞれ光硬化キャリッジ４４と連結している。光硬化キャリッジ４４は、４本の支柱部材２５を介して強固な支持フレーム２４に支持されることとなり、各第１半硬化手段４５および各第２半硬化手段４６が発する熱により、光硬化キャリッジ４４が歪む（熱変形）ことを有効に防止することができる。これにより、光硬化ユニット２２を設定した平面度（姿勢）に維持することができる。なお、詳細は後述するが、各支柱部材２５には、光ギャップ調整手段２８が構成されている。また、支柱部材２５の配設数は任意である。
【００６４】
このように、光硬化ユニット２２は、キャリッジベース２３および支持フレーム２４（複数の支柱部材２５）を介して、第１ガイド軸１３と第２ガイド軸１４とで両持ちでスライド自在に支持されており、ヘッドユニット２１および光硬化ユニット２２は、第１ガイド軸１３と第２ガイド軸１４との間に位置している（図１参照）。すなわち、キャリッジ装置２は、第１ガイド軸１３と第２ガイド軸１４とに全体の重量を分散して安定支持されている。これにより、キャリッジ装置２全体として、移動開始時および移動停止時に振動することなく安定した姿勢を維持して、Ｘ軸方向へ移動させることができる。
【００６５】
また、ヘッドユニット２１および光硬化ユニット２２は、キャリッジ装置２として一体化され、同時にＸ軸方向に移動させることができるため、画像の描画動作と半硬化動作（および本硬化動作）とを、同一の移動時に連続して行うことができる。これにより、効率良く短時間で画像の描画および硬化を行うことができる。さらに、キャリッジ装置２の移動により、ヘッドユニット２１と光硬化ユニット２２とを、記録媒体Ｗの記録面Ｆ全域（記録すべき全ての領域）に臨ませることができるため、ヘッドユニット２１と光硬化ユニット２２とを小型に構成することができ、もってキャリッジ装置２全体を小型にすることができる。
【００６６】
図５に示すように、ヘッドギャップ調整手段２６は、ギヤ列８１（図１（ｂ）参照）を介して調整モーター（図示省略）に接続する調整ギヤ８２（遊星歯車から成る減速歯車列）と、調整ギヤ８２から回転が伝達されるギャップ調整軸８３と、ギャップ調整軸８３に接続された一対の偏心カム８４と、を備えている。
【００６７】
このギャップ調整では、先ず、キャリッジ装置２がホームポジションＨに移動すると、調整モーターの駆動軸がギヤ列８１に連結すると共にギヤ列８１が回動し、調整ギヤ８２に係合する。そして、調整モーターの駆動により、キャリッジベース２３に軸回転自在に支持されたギャップ調整軸８３を介して各偏心カム８４が回転する。各偏心カム８４は、記録キャリッジ３３（の第１ヘッド保持部３７）の各立設部３９の上端面に、それぞれ当接している。このため、各偏心カム８４の回転に伴って、記録キャリッジ３３（ヘッドユニット２１）は、上記した片持ち支持機構６３の各引上げばね６４に抗して押し下げられたり、各引上げばね６４により引き上げられたりして、上下動（昇降）することとなる。したがって、記録媒体Ｗの厚みや種類（インクが浸透する又は浸透しない等）に応じて、ヘッドユニット２１（各記録ヘッド３０）と記録媒体Ｗとのギャップを適宜変更することができる。これにより、最適なインクの吐出を行うことがき、記録媒体Ｗ上に高精度な画像の描画が行える。なお、調整モーターを省略して手動で調整可能に構成してもよいし、また、各偏心カム８４を別々に回転可能として、ピッチ角の微調整を行えるように構成してもよい。
【００６８】
図５に示すように、平行度調整手段２７は、各立設部３９のＹ軸方向上流側（後側）に当接した偏心軸８５を備えている。偏心軸８５は、キャリッジベース２３に回転自在に支持されており、偏心軸８５の回転に伴って、記録キャリッジ３３（ヘッドユニット２１）は、上記した片持ち支持機構６３の各第１引付ばね６５および各第２引付ばね６６に抗して押し出されたり、各第１引付ばね６５および各第２引付ばね６６により引き付けられたりして、ローリング方向に回動することとなる。このようにして、ヘッドユニット２１（各記録ヘッド３０）を平行に維持することができると共に、記録ヘッド３０毎の平行度を均一にすることができる。これにより、各記録ヘッド３０（各第１記録ヘッド３１ａおよび第２記録ヘッド３２ａ）は、適切なギャップをもって平行に記録媒体Ｗに臨むことができるため、最適なインクの吐出が可能となる。
【００６９】
図６に示すように、光ギャップ調整手段２８は、ギヤードモーター８６からの回転が伝達される２本の調整回転軸８７と、調整回転軸８７に接続された一対２組のピニオン８８と、各ピニオン８８が係合する複数のラック８９と、各ラック８９と各ピニオン８８との係合状態を維持し、上下動（昇降）をガイドする複数のガイド機構（図示省略）と、を備えている。
【００７０】
各ラック８９は、支柱部材２５に形成されており、各調整回転軸８７は、光硬化キャリッジ４４に対して回転自在に支持されている（図６（ｃ）参照）。この光ギャップ調整は、キャリッジ装置２がホームポジションＨに移動すると、各ギヤードモーター８６の駆動軸が各調整回転軸８７に接続する。そして、Ｙ軸方向上流側でＸ軸方向に並ぶ一対のピニオン８８（図６（ａ）参照）は、調整回転軸８７の一端に接続されたギヤードモーター８６の駆動により、各ラック８９に沿って回転する。Ｙ軸方向下流側でＸ軸方向に並ぶ一対のピニオン８８も同様である。このようにして、各ピニオン８８の回動により、光硬化キャリッジ４４は各ラック８９に沿って上下動（昇降）する。このため、記録媒体Ｗの厚みや種類に応じて、光硬化ユニット２２と記録媒体Ｗとのギャップを適宜変更することができ、インクの種類等や記録媒体Ｗの種類等に応じて、最適な強度（放射照度）の光を照射して記録媒体Ｗ上のインク滴を適切に硬化させることができる。なお、光ギャップ調整手段２８を各支柱部材２５の上側（またはＺ軸方向中程）に設けてもよい。また、調整回転軸８７を省略して、各ピニオン８８を個別に回転させる構成としてもよい。他にも、各支柱部材２５を入れ子式のスライド構造として、内側の支柱と外側の支柱とを螺合させて、ねじを回転させる（リードねじ機構）ことで昇降させてもよいし、各支柱部材２５をシリンダー・ピストン構造としてスライドさせるようにしてもよい。
【００７１】
続いて、図７ないし図９を参照して、本実施形態に係るインクジェット記録装置１の制御手段６により制御される画像形成方法について説明する。以降の説明では、第１記録部３１（複数の第１記録ヘッド３１ａ）に供給されている９色の有色および無色のインクを「第１インク９１」という。同様に、第２記録部３２（第２記録ヘッド３２ａ）に供給されている黒色のインクを「第２インク９２」という。また、画像形成の動作に先立ち、キャリッジ装置２は、ホームポジションＨに位置しており、ヘッドギャップ調整手段２６、平行度調整手段２７および光ギャップ調整手段２８により、記録媒体Ｗ（の記録面Ｆ）に対するヘッドユニット２１（各記録ヘッド３０）のギャップ調整および平行度調整、光硬化ユニット２２のギャップ調整が行われている。
【００７２】
図７に示すように、この画像形成方法は、第１インク９１を吐出して記録媒体Ｗ上に第１画像Ｄ１を形成する第１画像形成工程Ｓ１と、第１半硬化部４１により、第１画像Ｄ１を構成する第１インク９１を半硬化させる第１半硬化工程Ｓ２と、第２インク９２を吐出して記録媒体Ｗ上に第１画像Ｄ１を形成する第２画像形成工程Ｓ３と、第２半硬化部４２により、第２画像Ｄ２を構成する第２インク９２を半硬化させる第２半硬化工程Ｓ４と、本硬化手段４３により、第１画像Ｄ１および第２画像Ｄ２を本硬化させる本硬化工程Ｓ５と、を備えている。
【００７３】
第１画像形成工程Ｓ１（第１画像形成動作）では、第１記録部３１に臨む位置に搬送された記録媒体Ｗに対し、キャリッジ装置２をＸ軸方向に往復移動させながら、画像データに基づいて、第１記録部３１から第１インク９１を吐出して第１画像Ｄ１を形成（描画）する（図８（ａ）および図９（ａ）参照）。第１画像Ｄ１は、黒色以外の有色および無色のインクから構成された画像であり、黒色のインク（第２インク９２）が着弾すべき部分が空けられた画像である。なお、本実施形態では、往復移動時（往動時および復動時）においてヘッドユニット２１から各インクの吐出（描画）が行われるが、往動時または復動時の一方でのみ描画を行うようにしてもよい。
【００７４】
第１半硬化工程Ｓ２（第１半硬化動作）では、キャリッジ装置２をＸ軸方向に往復移動させながら、第１画像形成工程Ｓ１において、記録媒体Ｗ上に着弾した第１インク９１（のインク滴）を半硬化させる。例えば、キャリッジ装置２が往動時に第１画像Ｄ１を描画している場合には、往動方向の下流側（図８において右側）の第１半硬化手段４５を用いて紫外線を照射しながら往動させる（図８（ｂ）参照）。このように、光硬化特性の異なる黒色（第２インク９２）以外の第１インク９１を先に吐出させる構成であるため、記録媒体Ｗ上の第１インク９１（第１画像Ｄ１）に対して、最適な放射照度の紫外線を照射することができる。これにより、第１画像Ｄ１を適切に半硬化させることができ、各色のインクの混色を防止することができる。また、記録媒体Ｗ上の各インク滴の大きさが均一化されるため、第１画像Ｄ１の表面の凹凸を抑制し、平坦にすることができる。
また、上記の例では、第１インク９１が吐出された直後に半硬化を行っているため、描画のための移動に伴って連続的に、記録媒体Ｗ上の各インク滴の半硬化を行うことができる。このため、第１画像Ｄ１を短時間で形成（描画および半硬化）することができる。他にも、往動時に描画のみを行い、復動時に、復動方向の下流側の第１半硬化手段４５を用いて半硬化を行うこともできる。この場合、記録媒体Ｗ上での各インク滴は、紫外線が照射されるまで時間がかかるため、大きく濡れ広がり、凹凸が更に抑えられた滑らかな表面となる。このように、第１インク９１の半硬化までの時間を制御することができ、第１画像Ｄ１の表面粗さを任意に設定することができる。
【００７５】
第１画像形成工程Ｓ１および第１半硬化工程Ｓ２が終了すると、媒体送り機構１２により、記録媒体Ｗの第１画像Ｄ１が描画された部分は、第２記録部３２に臨む位置までＹ軸方向下流側に移動され、再びプラテン１７上に固定される。そして、記録媒体Ｗに対して、続く第２画像形成工程Ｓ３が行われる。
【００７６】
第２画像形成工程Ｓ３（第２画像形成動作）では、キャリッジ装置２をＸ軸方向に往復移動させながら、第２記録部３２から第２インク９２を吐出して、第２画像Ｄ２を形成する（図８（ｃ）参照）。第２画像Ｄ２は、第１画像Ｄ１に存在しない黒色のインクのみからなる画像であり、第１画像Ｄ１と第２画像Ｄ２とで１つの画像が完成される。なお、第１画像形成工程Ｓ１と同様に、第２画像形成工程Ｓ３も往復移動時（往動時および復動時）に第２インク９２の吐出が行われるが、往動時または復動時の一方でのみ第２画像形成動作を行うようにしてもよい。
【００７７】
第２半硬化工程Ｓ４（第２半硬化動作）では、第１半硬化工程Ｓ２と同様に、キャリッジ装置２をＸ軸方向に往復移動させながら、第２半硬化手段４６を用いて、第２画像Ｄ２（第２インク９２）を半硬化させる（図８（ｄ）参照）。このように、第１インク９１とは別に、光硬化特性の異なる第２インク９２（黒色）のみを半硬化させることができるため、第２インク９２に最適な放射照度をもって、第２半硬化動作を行うことができる。これにより、第１インク９１の半硬化に影響を与えることも受けることもなく、第２インク９２が半硬化しなかったり、または第１インク９１が硬化し過ぎたりする等の問題を防止することができる。また、第２形成動作に伴って且つ連続して、または時間を隔てて、第２インク９２の半硬化を行うことができ、第２画像Ｄ２の表面粗さを調整することができる。なお、第１画像Ｄ１（第１インク９１）は、半硬化しているため、第２インク９２が混色してしまうことはない。
【００７８】
第２画像形成工程Ｓ３および第２半硬化工程Ｓ４が終了すると、媒体送り機構１２により、記録媒体Ｗの第１画像Ｄ１および第２画像Ｄ２が形成された部分は、本硬化手段４３に臨む位置まで、Ｙ軸方向下流側に移動され、再びプラテン１７上に固定される。そして、形成された第１画像Ｄ１および第２画像Ｄ２に対して、続く本硬化工程Ｓ５が行われる。
【００７９】
本硬化工程Ｓ５（本硬化動作）では、キャリッジ装置２をＸ軸方向に往復移動させながら、本硬化手段４３により、第１画像Ｄ１および第２画像Ｄ２を本硬化させる（図８（ｅ）参照）。この場合、第１画像Ｄ１および第２画像Ｄ２は、既に半硬化が行われているため、本硬化動作にかかる時間を短くすることができる。また、本硬化工程Ｓ５により、第１画像Ｄ１および第２画像Ｄ２は、完全に硬化するため、描画済みの記録媒体Ｗを次々重ねたとしても、描画結果（画像）が崩れたり、インク汚れが写ることがない。なお、本硬化工程Ｓ５（本硬化手段４３）を省略して、第２半硬化工程Ｓ４において第２半硬化手段４６により本硬化を行ってもよい。
【００８０】
なお、第２画像形成工程Ｓ３および第２半硬化工程Ｓ４が行われている時、Ｙ軸方向上流側では、第１画像形成工程Ｓ１および第１半硬化工程Ｓ２が並行して行われている（図９（ｂ）参照）。同様に、本硬化工程Ｓ５が行われている時、Ｙ軸方向上流側では、第２画像形成工程Ｓ３および第２半硬化工程Ｓ４、第１画像形成工程Ｓ１および第１半硬化工程Ｓ２が、それぞれ並行して行われている（図９（ｃ）参照）。すなわち、本実施形態のインクジェット記録装置１では、（１）第１画像Ｄ１の描画とそれらの半硬化、（２）第２画像Ｄ２の形成とその半硬化、（３）第１画像Ｄ１および第２画像Ｄ２の本硬化が、同一の主走査（Ｘ軸方向への移動）において、並行して且つ連続的に行うことができる。これにより、第１画像Ｄ１および第２画像Ｄ２を効率良く記録媒体Ｗ上に形成することができる。
【００８１】
なお、上述した画像形成方法（の手順）は一例であり、各工程は、少なくともキャリッジ装置２の往動時または復動時のいずれかで行えばよい。例えば、キャリッジ装置２を往動時に第１画像形成工程Ｓ１、第１半硬化工程Ｓ２および本硬化工程Ｓ５を行い、復動時に第２画像形成工程Ｓ３および第２半硬化工程Ｓ４を行うようにしてもよい。
【００８２】
以上の構成によれば、第１インク９１とは別に、半硬化に必要な放射照度が異なる第２インク９２のみを半硬化させることができるため、第２インク９２に最適な放射照度で半硬化させることができる。これにより、第２インク９２が硬化しない等の問題を防止することができる。
【００８３】
（第２実施形態）
上述した第１実施形態に係る画像形成方法では、記録媒体Ｗ上の第１インク９１が吐出・着弾していない部分に第２インク９２を吐出・着弾させていたが、図１０（ａ）に示すように、第１インク９１で構成された第１画像Ｄ１に重ねるようにして第２インク９２を吐出し、第２画像Ｄ２を形成してもよい。
この場合、完成した画像に、第１画像Ｄ１から第２画像Ｄ２が浮き上がるような効果（エンボス）を与えることができる。これにより、表現豊かな画像を形成することができるだけでなく、第２画像Ｄ２を明確に形成することができる。特に、第２画像Ｄ２として、情報伝達のための文字等を描画する場合には、鮮明で読み取り易い描画結果を得ることができる。
【００８４】
（第３実施形態）
紫外線硬化型インクは、受ける紫外線の放射照度（照度）だけではなく、受けた紫外線の積算量（紫外線を受けた時間）によっても、その硬化の仕方を制御することができる。
そこで、各第２半硬化手段４６のＸ軸方向の長さを、各第１半硬化手段４５よりも長く（大型）にすることで、記録媒体Ｗ上の第２インク９２に対し、紫外線を照射する時間を長くしてもよい。つまり、各第２半硬化手段４６の光照射部５１の面積を大きくすることで、記録媒体Ｗ上の第２インク９２が、受ける紫外線の積算量を増大させる。これにより、第１実施形態と同様に、黒色の第２インク９２を適切に半硬化させることができる。
【００８５】
（第４実施形態）
上述した第１実施形態の第１記録部３１は、９個の第１記録ヘッド３１ａ（記録ヘッド３０）を備えていたが、オーバーコーティング用の無色（透明）のインクを吐出するための第１記録ヘッド３１ａを更に搭載してもよい（計１０個の第１記録ヘッド３１ａ）。このオーバーコーティング用の無色（ＣＬ）のインクは、第１画像Ｄ１および第２画像Ｄ２を保護すると共に光沢を与えるためのものコート層Ｄ３を形成するためのものである。この場合、第２半硬化工程Ｓ４が終了した後に、記録媒体Ｗを第１記録部３１に臨む位置にまで、媒体送り機構１２により逆送（Ｙ軸方向上流側に移動）させる。そして、オーバーコーティング用の無色のインクを吐出して、第１画像Ｄ１上および第２画像Ｄ２上にコート層Ｄ３を形成する（図１０（ｂ）参照）。なお、オーバーコーティング用の無色のインクは、第１インク９１に含まれる無色のインクと同一のものでもよいし、粘性や硬化時の光沢等が異なるインクを用いてもよい。また、第２実施形態においてコート層Ｄ３を形成してもよい。
【００８６】
（第５実施形態）
第５実施形態に係るキャリッジ装置２では、図示は省略するが、一のキャリッジ上に、一対の第１半硬化手段４５の間に第１記録部３１を配設してＸ軸方向に整列させた第１記録／硬化部と、第１記録／硬化部のＸ軸方向下流側において、一対の第２半硬化手段４６の間に第２記録部３２を配設してＸ軸方向に整列させた第２記録／硬化部と、を備えている。つまり、第１記録部３１、第１半硬化部４１、第２記録部３２および第２半硬化部４２がＸ軸方向に並んでいる。
これにより、例えば、キャリッジを往復移動させる構成の場合、往動時に第１インク９１を吐出した直後に第１半硬化部４１から紫外線を照射して半硬化を行い、復動時に第２インク９２を吐出した直後に第２半硬化部４２から光を照射して半硬化を行うことができる。このため、第１実施形態に係るものと同様に、第１インク９１とは別に、第２インク９２を最適な放射照度で半硬化させることができる。
他にも、往動時に第１インク９１および第２インク９２の吐出のみを行い、復動時に各半硬化動作を行うこともできる。これにより、各インクの半硬化までの時間を制御することができ、画像の表面粗さを任意に設定することができる。なお、第１実施形態と同様に、本硬化手段４３をＹ軸方向下流側に設けた構成としてもよい。
【符号の説明】
【００８７】
１：インクジェット記録装置、２：キャリッジ装置、２１：ヘッドユニット、２２：光硬化ユニット、３０：記録ヘッド、３１：第１記録部、３１ａ：第１記録ヘッド、３２：第２記録部、３２ａ：第２記録ヘッド、３３：記録キャリッジ、４１：第１半硬化部、４２：第２半硬化部、４３：本硬化手段、４４：光硬化キャリッジ、４５：第１半硬化手段、４６：第２半硬化手段、９１：第１インク、９２：第２インク、Ｗ：記録媒体
【図１】
2011084031.tif 000003
【図２】
2011084031.tif 000004
【図３】
2011084031.tif 000005
【図４】
2011084031.tif 000006
【図５】
2011084031.tif 000007
【図６】
2011084031.tif 000008
【図７】
2011084031.tif 000009
【図８】
2011084031.tif 000010
【図９】
2011084031.tif 000011
【図１０】
2011084031.tif 000012